(57)【要約】      （修正有）【課題】コーナー以外に設置した戸袋への雨戸の移動を可能とし、多い枚数の雨戸でも、楽に重ねて収納させると共に復帰させることを提供する。【解決手段】コーナーまで移動させてきた雨戸２を、コーナーに設置されたジャッキ７で雨戸の中央部に埋め込まれた鋲４を持ち上げることで雨戸を浮かせる。次に、雨戸を回転させて、方向変換を行う。その後、ジャッキを解除して雨戸を下ろして、戸袋３まで移動させる。戸袋に、収納用レール、Ｖベルトをもつプーリー台座を設置し、プーリー台座により雨戸を持ち上げた後、スライドさせて押し込む。雨戸の雨戸レール６への復帰については、収納用レールの端に雨戸幅に対応するトレンチを設置し、雨戸を一旦静止させることとで、雨戸レールへの復帰を確実なものとする。雨戸レールへ復帰させる為に持ち上げる仕組みは２点で水平に持ち上げる構成により雨戸レールへのスムーズな復帰が出来る。【選択図】図１
2016121519.tif 000002
【特許請求の範囲】
【請求項１】
建物のコーナーに雨戸回転固定板とジャッキを設置し、雨戸中央部の上下に（頭部が臼状の）鋲を埋め込み、戸袋にはプーリー付き台座を設置し、戸袋上部には雨戸支えを設置し、戸袋下部に雨戸収納用レールを設置する構成をし、雨戸をコーナーで回転させて戸袋まで移動させ、プーリー付き台座と雨戸収納用レールと雨戸支えにより戸袋へ収納及び復帰することを特徴とする方向回転機能付き雨戸収納システム。
【請求項２】
前記雨戸固定板は四つ葉のクローバの形状に溝を設置し、ジャッキは棒状の突起を足ペダルで持ち上げる動作とロック出来る機能を持ち、棒状の突起は雨戸に埋め込んだ鋲（びょう）の臼状部分に勘合させて持ち上げることにより、雨戸の方向回転を行うことを特徴とする方向変換機能付き雨戸収納システム。
【請求項３】
前記プーリー付き台座はプーリーに掛けたＶベルトを持ち、雨戸の荷重は台座で支え、移動はＶベルトと共に滑らせ、雨戸レールとの交差部分にＶベルトを配置することで、戸車の交差時のショックを軽減することを特徴とする方向変換機能付き雨戸収納システム
【請求項４】
前記雨戸収納用レールは“凹”形状として戸車の揺らぎを抑えて雨戸のスムーズな収納を可能とし、雨戸レールとの接合部に雨戸幅の切欠き部を設けて雨戸を一旦止めて、雨戸を雨戸レールへ確実な復帰を可能とすることを特徴とする方向変換機能付き雨戸収納システム。
【請求項５】
前記雨戸支えは戸袋奥の天井にヒンジで接続して可動とし、つり下げスプリングとコイルバネにより雨戸をどの場所でも止めることを可能とすることを特徴とする方向変換機能付き雨戸収納システム。
【発明の詳細な説明】
【技術分野】
【０００１】  この発明は、建築物の雨戸を収納する場合の構成、形状及び動作に関する。
【背景技術】
【０００２】  従来の雨戸収納は建物の端に戸袋を設置し、雨戸をそこまで一枚ずつ移動させ、手で持ち上げて戸袋へ収納するというもの。従って、建物の直線部の端に必ず戸袋を設置していた。また、大きな建物で雨戸の枚数が多くなると、戸袋への収納は力仕事となり困難を極めていた。
特許文献１の「雨戸装置」では戸袋内から奥側の雨戸を引き出す為に「下降傾斜した案内部材を設置」、及び「戸車を浮かせる円滑移動部材を設置」した構成としているが、この構成では、高齢者など力が弱い人では、収納作業が大変という課題がある。
特許文献２の「雨戸整列機構」では、「雨戸の下框に戸袋内で斜行する補助車を設け」、「戸袋内の溝型レール面の奥に嵩上げ部材を設置し」、雨戸の奥側端部が斜行しつつ収納側または入口線側へ移動させることで、収納操作を改善している。が、この方法では通常では使わない斜行用の補助輪が必要となり雨戸が高価となる。また、本来、直角に収納するのに、斜行する補助輪では、やはり、出し入れは楽とは言い難い。
特許文献３のように、「雨戸の戸袋側端面の下端の屋内側角回転ローラを軸着」する方法では、引く動作の力を戸袋内へ移動させる向きに変える効果が若干あるが、この力は片側だけにしか働かず、他方はやはり力仕事となり、高齢者にとっては困難さがつきまとう
【先行技術文献】
【特許文献】
【０００３】
【特許文献１】特許公開  ２００６−２９１６４０
【特許文献２】特許公開  ２００５−１２６９６０
【特許文献３】特許公開  平８−２６０８４４
【非特許文献】
【０００４】        なし
【発明の概要】
【発明が解決しようとする課題】
【０００５】  以上の技術では、神社仏閣等の大きな建物で、開放感や景観のためにコーナーに戸袋を設置したくない場合や、たくさんの雨戸を、管理者が高齢になっても容易に収納復帰出来るようする雨戸収納システムは実現出来ない。
そこで、この発明は、戸袋をコーナーに限らず任意の場所に設置出来、雨戸はコーナーを回転移動させることで戸袋まで移動させ、戸袋への収納時は高齢者など力が弱い人でも枚数が多くても楽に雨戸を押し入れることが出来、また戸袋からの雨戸レールへの復帰も楽に出来るようにすることを課題とする。
【課題を解決するための手段】
【０００６】  以上の課題を解決するために、
第一発明は、建物のコーナーに雨戸回転固定板とジャッキを設置し、雨戸中央部の上下に（頭部が臼状の）鋲を埋め込み、戸袋にはプーリー付き台座を設置し、戸袋上部には雨戸支えを設置し、戸袋下部に雨戸収納用レールを設置する構成とし、雨戸をコーナーで回転させて戸袋まで移動させ、プーリー付き台座と雨戸収納用レールと雨戸支えにより戸袋へ収納及び復帰することを特徴とする方向回転機能付き雨戸収納システム。
第二発明は、前記雨戸固定板は四つ葉のクローバの形状に溝を設置し、ジャッキは棒状の突起を足ペダルで持ち上げる動作とロック出来る機能を持ち、棒状の突起は雨戸に埋め込んだ鋲（びょう）の臼（うす）状部分に勘合させて持ち上げることにより、雨戸の方向回転を行うことを特徴とする方向変換機能付き雨戸収納システム。
第三発明は、前記プーリー付き台座はプーリーに掛けたＶベルトを持ち、雨戸の荷重は台座で支え、移動はＶベルトと共に滑らせ、雨戸レールとの交差部分にＶベルトを配置することで、戸車の交差時のショックを軽減することを特徴とする方向変換機能付き雨戸収納システム。
第四発明は、前記雨戸収納用レールは“凹”形状として戸車の揺らぎを抑えて雨戸のスムーズな収納を可能とし、雨戸レールとの接合部に雨戸幅の切欠き部を設けて雨戸を一旦止めて、雨戸を雨戸レールへ確実な復帰を可能とすることを特徴とする方向変換機能付き雨戸収納システム。
第五発明は、前記雨戸支えは戸袋奥の天井にヒンジで接続して可動とし、つり下げスプリングとコイルバネにより雨戸をどの場所でも止めることを可能とすることを特徴とする方向変換機能付き雨戸収納システム。
【発明の効果】
【０００７】  第一発明、第二発明、第三発明、第四発明、及び第五発明により、雨戸をコーナーで回転させて移動させることが出来るので戸袋は比較的目立たない位置に設定できる。
また、Ｖベルトを装着したプーリー台座で雨戸を持ち上げて、Ｖベルト上でプーリーの回転と共に奥へ収納するので、
○  建物のコーナーをすっきりとし開放感を持たせることが出来る
○  戸袋の配置がフレキシブル（柔軟に）に出来る
○  既存の建物の雨戸（木製、戸車の種類にかかわらず）にも対応出来る
○  （足の力を使うので）体力の弱い高齢者が容易に収納出来る。
等の、効果がある。
【図面の簡単な説明】
【０００８】
【図１】この発明の一実施形態を示す図面。（上面図）は建物を上から見ており戸袋３は左の奥に設定している。（斜視図）は雨戸２をコーナーで回転させるイメージを示す。（雨戸正面図）は（頭部が臼状の）鋲４を埋め込む位置を示している。
【図２】この発明の一実施形態を示す図面。（側面図）は雨戸２を戸袋３に収納する時の動きを示す。正面図は収納時の雨戸２と戸車５と収納用レール１２との位置関係を示す。
【図３】この発明の一実施形態を示す図面。ジャッキ７と雨戸回転固定板８のイメージを示す。
【図４】この発明の一実施形態を示す図面。（頭部が臼状の）鋲４を埋め込む位置の詳細を示している。
【図５】この発明の一実施形態を示す図面。雨戸２を戸袋３へ押し込む時の戸車５、収納用レール１２、プーリー台座１１、Ｖベルト１０の位置関係を示す。
【図６】この発明の一実施形態を示す図面。プーリー台座１１、プーリー９、Ｖベルト１０のイメ−ジを示す斜視図である。
【図７】この発明の一実施形態を示す面図。プーリー台座１１、プーリー９、Ｖベルト１０位置関係を示す側面図である。
【図８】この発明の一実施形態を示す図面。Ｖベルト１０、戸車５収納用レール１２との位置関係の詳細図である。
【図９】この発明の一実施形態を示す図面。雨戸レール６とＶベルト１０の交差点を戸車５が通過するときの状態を示す。
【図１０】この発明の一実施形態を示す図面。雨戸２を雨戸レール６へ戻すときに、一旦、切欠き部に静止させるイメージを示す。
【図１１】この発明の一実施形態を示す図面。雨戸２を雨戸レール６へ戻すときのイメージと水平の持ち上げる仕組みを示す。
【発明を実施するための形態】
【０００９】この発明の一実施形態を図１から図１１に示す。図１は全体構成と雨戸の回転イメージ。図２は雨戸の収納動作イメージ。図３〜図１１はジャッキ７、雨戸回転固定板８，鋲４、プーリー台座１１、Ｖベルト１０、収納用レール１２、の位置関係の詳細である。
図１は、全体の構成イメ−ジ図である。ここでは、左端奥に戸袋３設置されており、複数の雨戸２は左コーナーを曲がって戸袋３の場所に到着し、そのまま、奥に押し込まれて収納される。雨戸２の回転は、コーナーに設置されたジャッキ７により雨戸２の中央部に埋め込まれた（頭部が臼状の）鋲４を持ち上げて行う。その時、雨戸回転固定板８により９０度の回転を確保する。
図２は、戸袋３に雨戸２を押し込む動作を示す。雨戸２の戸車５は“凹”の凹みに固定されて押し込まれる。その時、雨戸２の上部は手前に倒れかかるので、それを雨戸支え１３で支えながら押し込む。雨戸支え１３は戸袋奥の天井にヒンジで接続して可動とし、つり下げスプリングとコイルバネにより雨戸をどの場所でも止めることが可能なので、手前に倒れ込むことを防止出来る。
図３は、ジャッキ７と雨戸回転固定板８のイメージである。ジャッキ７は上下ペダル７１により棒をつきあげ、ロックペダル７２によりロックされる。雨戸回転固定板８は四つ葉のクローバの形状に溝を設置してあるので、雨戸２をちょうど９０度回転させることが出来る。
図４は、雨戸２の中央に鋲４を埋め込んでいる状況を示す。鋲４は頭部が臼状なので、ジャッキの棒状の部分が適度に合わさり、雨戸２を簡単に回転できて方向変換が可能となる。
図５は、雨戸２を戸袋３に押し込む時の、戸車５と収納用レール１２の位置関係、プーリー台座１１、Ｖベルト１０の位置関係を示す。この状態で雨戸２を押し込むと、戸車５は収納用レール１２に導かれ、雨戸２自体はプーリー台座１１に荷重をかけ、Ｖベルト１０とプーリーの回転でスムーズに奥へ押し込めることとなる。
図６は、プーリー台座１１、プーリー９とＶベルト１０の位置関係を示す。Ｖベルト１０は、台座の上に乗っており、プーリー９の回転により動く。雨戸２の荷重は台座で支えて、移動（ずらす）はＶベルト１０によるのでスムーズな雨戸の押し込みが出来る。
図７は、プーリー台座１１、プーリー９とＶベルト１０の位置関係を側面から見たものである。プーリー台座１１は、シャフトＳ１１１を中心に上下するので、雨戸２を持ち上げて、戸袋３への押し込みをスムーズに出来る。
図８は、戸車５、収納用レール１２とＶベルト１０の位置関係を示す。雨戸２はプーリー台座１１を横切る必要があるが、その時、戸車５はＶベルト１０の部分のみ踏み越えることとなる。
図９は、雨戸レール６とＶベルト１０の交差部分において戸車５が踏み越えていく部分のイメージである。Ｖベルトにより踏み越えるときのショックを軽減出来る。
図１０は、雨戸２を戸袋３から、雨戸レール６へ復帰させるときの図である。収納用レール１２の端（雨戸レール６への近接部分）に雨戸幅に対応するトレンチ（溝）を設置し、雨戸２を一旦静止させることとで、雨戸レール６への復帰を確実なものとする。
図１１は、図１０において、雨戸レール６へ復帰させる為に持ち上げる仕組みを示している。２点で水平に持ち上げることができるのでスムーズな復帰が可能となる。
【実施形態の効果】
【００１０】  この実施形態によれば、建物の周囲の適当な場所に戸袋を設置出来、雨戸は戸袋への途中にコーナーがあっても移動させることが出来、且つ、高齢者にも簡単に収納できる雨戸収納システムを提供出来る。このシステムでは既存の神社仏閣など、景観が重要な建物でも、戸袋を目立たないところへ設置し且つ、解放感のある広い縁側を提供することが可能となる。
【他の実施形態】
本実施形態では、ジャッキは手動のイメージで示しているが、電動も構わない。Ｖベルトは平ベルトでも構わない。雨戸支えでは「つり下げスプリングとコイルバネ」としているが、雨戸の倒れ込みを任意の場所で止めることが出来れば、スプリングやバネでなくても構わない。
【符号の説明】
【００１１】１    建物
２    雨戸
３    戸袋
４    （頭部が臼状の）鋲（びょう）
５    戸車
６    雨戸レール
７    ジャッキ
７１  上下ペダル
７２  ロックペダル
８    雨戸回転固定板
９    プーリー
１０  Ｖベルト
１１  プーリー台座
１１１  シャフトＳ
１２  収納用レール
１３  雨戸支え
１４  雨戸レール復帰装置
【図１】
2016121519.tif 000003
【図２】
2016121519.tif 000004
【図３】
2016121519.tif 000005
【図４】
2016121519.tif 000006
【図５】
2016121519.tif 000007
【図６】
2016121519.tif 000008
【図７】
2016121519.tif 000009
【図８】
2016121519.tif 000010
【図９】
2016121519.tif 000011
【図１０】
2016121519.tif 000012
【図１１】
2016121519.tif 000013